(57)【要約】【課題】  省エネルギ化を効果的にし得るとともに対象室の換気性も向上できる室圧制御システムを提供する。【解決手段】室圧調整用の制御手段１３は、排気ファン５の出力ｆｅを設定固定出力ｆｅｓに固定した状態で、室圧センサ１２による検出室圧ｐに基づき給気ファン３の出力ｆｏを調整することにより対象室１の室圧ｐを設定室圧ｐｓに調整する基本モードの給気ファン主体調整運転を実行するとともに、この基本モードの給気ファン主体調整運転の実行下において給気ファン３の出力ｆｏが設定上限出力ｆｏａ以上に上昇すると、給気ファン３の出力ｆｏを設定上限出力ｆｏａに固定した状態で室圧センサ１２による検出室圧ｐに基づき排気ファン５の出力ｆｅを調整することにより対象室１の室圧ｐを設定室圧ｐｓに調整する給気側上限モードの排気ファン主体調整運転に運転を自動的に切り換える。【選択図】図１
2010107064.tif 000002
【特許請求の範囲】
【請求項１】
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記排気ファンの出力を排気ファン用の設定固定出力に固定した状態で、又は、前記対象室からの総排気量を設定総排気量に維持するように前記排気ファンの出力を調整しながら、前記室圧センサによる検出室圧に基づき前記給気ファンの出力を調整することにより前記対象室の室圧を設定室圧に調整する基本モードの給気ファン主体調整運転を実行するとともに、
この基本モードの給気ファン主体調整運転の実行下において前記給気ファンの出力が給気ファン用の設定上限出力以上に上昇すると、前記給気ファンの出力を給気ファン用の設定上限出力に固定した状態で前記室圧センサによる検出室圧に基づき前記排気ファンの出力を調整することにより前記対象室の室圧を設定室圧に調整する給気側上限モードの排気ファン主体調整運転に運転を自動的に切り換える構成にしてある室圧制御システム。
【請求項２】
前記制御手段は、給気側上限モードの排気ファン主体調整運転の実行下において、前記排気ファンの出力が排気ファン用の設定固定出力よりも低い排気ファン用の下限側設定閾出力以下に低下すると、前記排気ファンの出力を排気ファン用の下限側設定閾出力に固定した状態で前記室圧センサによる検出室圧に基づき前記給気ファンの出力を調整することにより前記対象室の室圧を設定室圧に調整する上限側モードの給気ファン主体調整運転に運転を自動的に切り換える構成にしてある請求項１記載の室圧制御システム。
【請求項３】
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記排気ファンの出力を排気ファン用の設定固定出力に固定した状態で、又は、前記対象室からの総排気量を設定総排気量に維持するように前記排気ファンの出力を調整しながら、前記室圧センサによる検出室圧に基づき前記給気ファンの出力を調整することにより前記対象室の室圧を設定室圧に調整する基本モードの給気ファン主体調整運転を実行するとともに、
この基本モードの給気ファン主体調整運転の実行下において前記給気ファンの出力が給気ファン用の設定下限出力以下に低下すると、前記給気ファンの出力を給気ファン用の設定下限出力に固定した状態で前記室圧センサによる検出室圧に基づき前記排気ファンの出力を調整することにより前記対象室の室圧を設定室圧に調整する給気側下限モードの排気ファン主体調整運転に運転を自動的に切り換える構成にしてある室圧制御システム。
【請求項４】
前記制御手段は、給気側下限モードの排気ファン主体調整運転の実行下において、前記排気ファンの出力が排気ファン用の設定固定出力よりも高い排気ファン用の上限側設定閾出力以上に上昇すると、前記排気ファンの出力を排気ファン用の上限側設定閾出力に固定した状態で前記室圧センサによる検出室圧に基づき前記給気ファンの出力を調整することにより前記対象室の室圧を設定室圧に調整する下限側モードの給気ファン主体調整運転に運転を自動的に切り換える構成にしてある請求項３記載の室圧制御システム。
【請求項５】
前記制御手段は、給気ファン主体調整運転において前記室圧センサによる検出室圧に基づき前記給気ファンの出力を調整することにより前記対象室の室圧を設定室圧に調整するのに、前記給気ファンを前記対象室に接続する給気路の路内圧力を路内圧センサにより検出して、この検出路内圧に応じ前記給気ファンの出力を調整することで前記給気路の路内圧を設定路内圧に調整する給気側の路内圧調整制御を実行するとともに、それに併行して、前記室圧センサによる検出室圧が設定室圧よりも上昇すると前記給気路の設定路内圧を低下側に変更し、かつ、前記室圧センサによる検出室圧が設定室圧よりも低下すると前記給気路の設定路内圧を上昇側に変更する給気側の路内圧変更制御を実行する構成にしてある請求項１〜４のいずれか１項に記載の室圧制御システム。
【請求項６】
前記制御手段は、排気ファン主体調整運転の実行時に給気側の路内圧調整制御は停止した状態で給気側の路内圧変更制御を継続する構成にしてある請求項５記載の室圧制御システム。
【請求項７】
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記給気ファンの出力を給気ファン用の設定固定出力に固定した状態で、又は、前記対象室への総給気量を設定総給気量に維持するように前記給気ファンの出力を調整しながら、前記室圧センサによる検出室圧に基づき前記排気ファンの出力を調整することにより前記対象室の室圧を設定室圧に調整する基本モードの排気ファン主体調整運転を実行するとともに、
この基本モードの排気ファン主体調整運転の実行下において前記排気ファンの出力が排気ファン用の設定上限出力以上に上昇すると、前記排気ファンの出力を排気ファン用の設定上限出力に固定した状態で前記室圧センサによる検出室圧に基づき前記給気ファンの出力を調整することにより前記対象室の室圧を設定室圧に調整する排気側上限モードの給気ファン主体調整運転に運転を自動的に切り換える構成にしてある室圧制御システム。
【請求項８】
前記制御手段は、排気側上限モードの給気ファン主体調整運転の実行下において、前記給気ファンの出力が給気ファン用の設定固定出力よりも低い給気ファン用の下限側設定閾出力以下に低下すると、前記給気ファンの出力を給気ファン用の下限側設定閾出力に固定した状態で前記室圧センサによる検出室圧に基づき前記排気ファンの出力を調整することにより前記対象室の室圧を設定室圧に調整する上限側モードの排気ファン主体調整運転に運転を自動的に切り換える構成にしてある請求項７記載の室圧制御システム。
【請求項９】
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記給気ファンの出力を給気ファン用の設定固定出力に固定した状態で、又は、前記対象室への総給気量を設定総給気量に維持するように前記給気ファンの出力を調整しながら、前記室圧センサによる検出室圧に基づき前記排気ファンの出力を調整することにより前記対象室の室圧を設定室圧に調整する基本モードの排気ファン主体調整運転を実行するとともに、
この基本モードの排気ファン主体調整運転の実行下において前記排気ファンの出力が排気ファン用の設定下限出力以下に低下すると、前記排気ファンの出力を排気ファン用の設定下限出力に固定した状態で前記室圧センサによる検出室圧に基づき前記給気ファンの出力を調整することにより前記対象室の室圧を設定室圧に調整する排気側下限モードの給気ファン主体調整運転に運転を自動的に切り換える構成にしてある室圧制御システム。
【請求項１０】
前記制御手段は、排気側下限モードの給気ファン主体調整運転の実行下において、前記給気ファンの出力が給気ファン用の設定固定出力よりも高い給気ファン用の上限側設定閾出力以上に上昇すると、前記給気ファンの出力を給気ファン用の上限側設定閾出力に固定した状態で前記室圧センサによる検出室圧に基づき前記排気ファンの出力を調整することにより前記対象室の室圧を設定室圧に調整する下限側モードの排気ファン主体調整運転に運転を自動的に切り換える構成にしてある請求項９記載の室圧制御システム。
【請求項１１】
前記制御手段は、排気ファン主体調整運転において前記室圧センサによる検出室圧に基づき前記排気ファンの出力を調整することにより前記対象室の室圧を設定室圧に調整するのに、前記排気ファンを前記対象室に接続する排気路の路内圧力を路内圧センサにより検出して、この検出路内圧に応じ前記排気ファンの出力を調整することで前記排気路の路内圧を設定路内圧に調整する排気側の路内圧調整制御を実行するとともに、それに併行して、前記室圧センサによる検出室圧が設定室圧よりも上昇すると前記排気路の設定路内圧を低下側に変更し、かつ、前記室圧センサによる検出室圧が設定室圧よりも低下すると前記排気路の設定路内圧を上昇側に変更する排気側の路内圧変更制御を実行する構成にしてある請求項７〜１０のいずれか１項に記載の室圧制御システム。
【請求項１２】
前記制御手段は、給気ファン主体調整運転の実行時に排気側の路内圧調整制御は停止した状態で排気側の路内圧変更制御を継続する構成にしてある請求項１１記載の室圧制御システム。
【発明の詳細な説明】
【技術分野】
【０００１】
本発明は、工場や研究所等におけるクリーンルームや実験室などに適用する室圧制御システムに関し、詳しくは、室圧調整の対象室に室外空気を供給する給気ファンと、前記対象室の室内空気を室外に排出する排気ファンと、前記対象室の室圧を検出する室圧センサとを設け、この室圧センサによる検出室圧に基づき前記給気ファン又は前記排気ファンの出力を調整して前記対象室の室圧を設定室圧に調整する制御手段を設けてある室圧制御システムに関する。
【背景技術】
【０００２】
従来、この種の室圧制御システムとしては、種々の室圧変化要因に対して対象室の室圧を設定室圧に調整・維持するのに、室圧センサによる検出室圧に基づいた給気ファンの出力調整（略言すれば、給気ファンによる対象室への給気量の調整）だけで対象室の室圧を設定室圧に調整するようにしたものがあった（この従来システムを示す文献は見当たらないが下記の特許文献１には類似システムが示されている）。
【特許文献１】実開平４−１２０５５４号公報
【発明の開示】
【発明が解決しようとする課題】
【０００３】
しかし、上記の従来システムでは、対象室への給気量をダンパにより調整することで対象室の室圧を設定室圧に調整するシステムに比べ、ダンパの通気抵抗分だけ給気ファンの必要出力を低減でき、その分、省エネルギ面で有利であるが、室圧が過小になるのを防ぐための室圧の上昇側への調整を常に給気ファンの出力上昇のみにより行なう為、対象室の使用状況などによっては室圧を設定室圧に調整・維持するのに、給気ファンの出力をかなりの高出力に調整・維持することが必要になって給気ファンの消費動力が嵩み、また、これに加え給気量の増加で取入室外空気に対する空調処理の処理負荷が増大するなどのこともあり、この点、一層の省エネルギ化を達成する上で未だ改善の余地がある問題があった。
【０００４】
また、上記の従来システムでは、室圧が過大になるのを防ぐための室圧の低下側への調整も常に給気ファンの出力低下のみにより行なう為、対象室の使用状況などによっては室圧を設定室圧に調整・維持するのに、給気ファンの出力をかなりの低出力に調整・維持することが必要になって対象室の換気性が大きく低下し、この点、対象室の換気性を良好に保つ上でも未だ改善の余地がある問題があった。
【０００５】
なお、これらの問題は、種々の室圧変化要因に対して対象室の室圧を設定室圧に調整・維持するのに、室圧センサによる検出室圧に基づいた排気ファンの出力調整（略言すれば、排気ファンによる対象室から排気量の調整）だけで対象室の室圧を設定室圧に調整するようにした場合でも、給気ファン側と排気ファン側との相違があるだけで同様に生じるものである。
【０００６】
この実情に鑑み、本発明の主たる課題は、合理的な制御形態で対象室の室圧を調整することにより上記の如き問題を効果的に解消する点にある。
る。
【課題を解決するための手段】
【０００７】
本発明の第１特徴構成は室圧制御システムに係り、その特徴は、
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記排気ファンの出力を排気ファン用の設定固定出力に固定した状態で、又は、前記対象室からの総排気量を設定総排気量に維持するように前記排気ファンの出力を調整しながら、前記室圧センサによる検出室圧に基づき前記給気ファンの出力を調整することにより前記対象室の室圧を設定室圧に調整する基本モードの給気ファン主体調整運転を実行するとともに、
この基本モードの給気ファン主体調整運転の実行下において前記給気ファンの出力が給気ファン用の設定上限出力以上に上昇すると、前記給気ファンの出力を給気ファン用の設定上限出力に固定した状態で前記室圧センサによる検出室圧に基づき前記排気ファンの出力を調整することにより前記対象室の室圧を設定室圧に調整する給気側上限モードの排気ファン主体調整運転に運転を自動的に切り換える構成にしてある点にある。
【０００８】
つまり、この構成によれば、基本モードの給気ファン主体調整運転の実行下で給気ファンの出力が給気ファン用の設定上限出力以上に上昇すると給気側上限モードの排気ファン主体調整運転に運転を切り換え、その切り換え後における給気側上限モードの排気ファン主体調整運転では、給気ファンの出力を給気ファン用の設定上限出力に固定した状態で、室圧が過小になるのを防ぐための室圧の上昇側への調整を排気ファンの出力低下により行なう形態になることから、先述の従来システムの如く室圧が過小になるのを防ぐための室圧の上昇側への調整を常に給気ファンの出力上昇のみにより行なうのに比べ、給気ファン出力の固定による上昇制限分と排気ファンの出力低下分とを合わせた分、システム全体としてのファン消費動力を低減することができて、また、給気量の上昇制限分、取入室外空気に対する空調処理の処理負荷を低減できるなどのこともあって、省エネルギ化を一層効果的に達成することができる。
【０００９】
また、排気ファンの出力を設定固定出力に固定した状態で、又は、対象室からの総排気量を設定総排気量に維持するように排気ファンの出力を調整しながら、給気ファンの出力調整より対象室の室圧を設定室圧に調整する基本モードの給気ファン主体調整運転を基本の運転とするから、これとは逆に給気ファンの出力を固定した状態で排気ファンの出力調整により対象室の室圧を設定室圧に調整する排気ファン主体調整運転を基本の運転とする方式に比べ、室内清浄度の維持などのために対象室を室外よりも陽圧に保つ場合に一層好適な室圧制御システムとすることができる。
【００１０】
本発明の第２特徴構成は、第１特徴構成の実施に好適な実施形態を特定するものであり、その特徴は、
前記制御手段は、給気側上限モードの排気ファン主体調整運転の実行下において、前記排気ファンの出力が排気ファン用の設定固定出力よりも低い排気ファン用の下限側設定閾出力以下に低下すると、前記排気ファンの出力を排気ファン用の下限側設定閾出力に固定した状態で前記室圧センサによる検出室圧に基づき前記給気ファンの出力を調整することにより前記対象室の室圧を設定室圧に調整する上限側モードの給気ファン主体調整運転に運転を自動的に切り換える構成にしてある点にある。
【００１１】
つまり、この構成によれば、給気側上限モードの排気ファン主体調整運転の実行下において排気ファンの出力が排気ファン用の設定固定出力よりも低い排気ファン用の下限側設定閾出力以下に低下すると、排気ファンの出力を排気ファン用の下限側設定閾出力に固定した状態で室圧センサによる検出室圧に基づき給気ファンの出力を調整して対象室の室圧を設定室圧に調整する上限側モードの給気ファン主体調整運転に運転を切り換えるから、即ち、基本的には基本モードの給気ファン主体調整運転と同じく排気ファンの出力を固定した状態で給気ファンの出力調整により対象室の室圧を設定室圧に調整する運転に戻るから、先述の従来システムの如く給気ファンの出力調整だけで室圧変動に対応するのに比べ、室圧変動に対する対応幅を一層広く確保することができる。
【００１２】
本発明の第３特徴構成は室圧制御システムに係り、その特徴は、
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記排気ファンの出力を排気ファン用の設定固定出力に固定した状態で、又は、前記対象室からの総排気量を設定総排気量に維持するように前記排気ファンの出力を調整しながら、前記室圧センサによる検出室圧に基づき前記給気ファンの出力を調整することにより前記対象室の室圧を設定室圧に調整する基本モードの給気ファン主体調整運転を実行するとともに、
この基本モードの給気ファン主体調整運転の実行下において前記給気ファンの出力が給気ファン用の設定下限出力以下に低下すると、前記給気ファンの出力を給気ファン用の設定下限出力に固定した状態で前記室圧センサによる検出室圧に基づき前記排気ファンの出力を調整することにより前記対象室の室圧を設定室圧に調整する給気側下限モードの排気ファン主体調整運転に運転を自動的に切り換える構成にしてある点にある。
【００１３】
つまり、この構成によれば、基本モードの給気ファン主体調整運転の実行下で給気ファンの出力が給気ファン用の設定下限出力以下に低下すると給気側下限モードの排気ファン主体調整運転に運転を切り換え、その切り換え後における給気側下限モードの排気ファン主体調整運転では、給気ファンの出力を給気ファン用の設定下限出力に固定した状態で、室圧が過大になるのを防ぐための室圧の低下側への調整を排気ファンの出力上昇により行なう形態になることから、先述の従来システムの如く室圧が過大になるのを防ぐための室圧の低下側への調整を常に給気ファンの出力低下のみにより行なうのに比べ、給気ファン出力の固定による低下制限と排気ファンの出力上昇とにより対象室の換気性低下を抑止することができて、対象室の換気性を一層良好に保つことができる。
【００１４】
また、第１特徴構成と同様、排気ファンの出力を設定固定出力に固定した状態で、又は、対象室からの総排気量を設定総排気量に維持するように排気ファンの出力を調整しながら、給気ファンの出力調整より対象室の室圧を設定室圧に調整する基本モードの給気ファン主体調整運転を基本の運転とするから、これとは逆に給気ファンの出力を固定した状態で排気ファンの出力調整により対象室の室圧を設定室圧に調整する排気ファン主体調整運転を基本の運転とする方式に比べ、室内清浄度の維持などのために対象室を室外よりも陽圧に保つ場合に一層好適な室圧制御システムとすることができる。
【００１５】
本発明の第４特徴構成は、第３特徴構成の実施に好適な実施形態を特定するものであり、その特徴は、
前記制御手段は、給気側下限モードの排気ファン主体調整運転の実行下において、前記排気ファンの出力が排気ファン用の設定固定出力よりも高い排気ファン用の上限側設定閾出力以上に上昇すると、前記排気ファンの出力を排気ファン用の上限側設定閾出力に固定した状態で前記室圧センサによる検出室圧に基づき前記給気ファンの出力を調整することにより前記対象室の室圧を設定室圧に調整する下限側モードの給気ファン主体調整運転に運転を自動的に切り換える構成にしてある点にある。
【００１６】
つまり、この構成によれば、給気側下限モードの排気ファン主体調整運転の実行下において排気ファンの出力が排気ファン用の設定固定出力よりも高い排気ファン用の上限側設定閾出力以上に上昇すると、排気ファンの出力を排気ファン用の上限側設定閾出力に固定した状態で室圧センサによる検出室圧に基づき給気ファンの出力を調整して対象室の室圧を設定室圧に調整する下限側モードの給気ファン主体調整運転に運転を切り換えるから、即ち、基本的には基本モードの給気ファン主体調整運転と同じく排気ファンの出力を固定した状態で給気ファンの出力調整により対象室の室圧を設定室圧に調整する運転に戻るから、先述の従来システムの如く給気ファンの出力調整だけで室圧変動に対応するのに比べ、室圧変動に対する対応幅を一層広く確保することができる。
【００１７】
なお、本発明の実施においては、第１特徴構成と第３特徴構成とを組み合せ実施するのが好ましく、また、その場合は第２特徴構成と第４特徴構成も組み合せ実施するのが一層好ましい。
【００１８】
本発明の第５特徴構成は、第１〜第４特徴構成のいずれかの実施に好適な実施形態を特定するものであり、その特徴は、
前記制御手段は、給気ファン主体調整運転において前記室圧センサによる検出室圧に基づき前記給気ファンの出力を調整することにより前記対象室の室圧を設定室圧に調整するのに、前記給気ファンを前記対象室に接続する給気路の路内圧力を路内圧センサにより検出して、この検出路内圧に応じ前記給気ファンの出力を調整することで前記給気路の路内圧を設定路内圧に調整する給気側の路内圧調整制御を実行するとともに、それに併行して、前記室圧センサによる検出室圧が設定室圧よりも上昇すると前記給気路の設定路内圧を低下側に変更し、かつ、前記室圧センサによる検出室圧が設定室圧よりも低下すると前記給気路の設定路内圧を上昇側に変更する給気側の路内圧変更制御を実行する構成にしてある点にある。
【００１９】
つまり、この構成によれば、給気ファン主体調整運転の際、室圧センサによる検出室圧の変化に対し、上記給気側の路内圧調整制御及び路内圧変更制御を介する間接的な給気ファンの出力調整により対象室の室圧を設定室圧に調整するから、これら給気側の路内圧調整制御及び路内圧変更制御を介さず室圧センサによる検出室圧に応じ直接的に給気ファンの出力を調整することで対象室の室圧を設定室圧に調整する方式に比べ、給気ファンの出力変化そのものに起因する室圧変動を抑止し得るなど、給気ファン主体調整運転時における室圧制御の安定性を効果的に高めることができる。
【００２０】
また、給気側の路内圧変更制御の実行形態として、室圧センサによる検出室圧が設定室圧の許容範囲を上昇側又は低下側に逸脱した状態が設定許容時間を越えて継続したとき、給気路の設定路内圧を所定の変化速度で漸次的に所定幅だけ低下側又は上昇側に変更するなどの実行形態を採れば、給気ファン主体調整運転時における室圧制御の安定性を一層効果的に高めることができる。
【００２１】
本発明の第６特徴構成は、第５特徴構成の実施に好適な実施形態を特定するものであり、その特徴は、
前記制御手段は、排気ファン主体調整運転の実行時に給気側の路内圧調整制御は停止した状態で給気側の路内圧変更制御を継続する構成にしてある点にある。
【００２２】
つまり、この構成によれば、給気側の路内圧調整制御を停止する排気ファン主体調整運転の際も、給気路の設定路内圧を室圧センサによる検出室圧に応じて変更する給気側の路内圧変更制御は継続するから、次に排気ファン主体調整運転から給気ファン主体調整運転に運転を切り換えて給気側の路内圧調整制御を再開するとき、その再開時の室圧に対し適切に対応した設定路内圧の状態で給気側の路内圧調整制御を再開することができ、これにより給気ファン主体運転時における室圧制御の安定性を一層効果的に高めることができる。
【００２３】
なお、第５及び第６特徴構成では、給気ファン主体調整運転において給気側の路内圧調整制御及び路内圧変更制御により給気ファンの出力を調整することで対象室の室圧を設定室圧に調整するが、これと同様に、第１〜第４特徴構成のいずれかの実施にあたり、排気ファン主体調整運転において排気側の路内圧調整制御及び路内圧変更制御により排気ファンの出力を調整することで対象室の室圧を設定室圧に調整するようにしてもよい。
【００２４】
即ち、この場合、前記制御手段は、排気ファン主体調整運転において前記室圧センサによる検出室圧に基づき前記排気ファンの出力を調整することにより前記対象室の室圧を設定室圧に調整するのに、前記排気ファンを前記対象室に接続する排気路の路内圧力を路内圧センサにより検出して、この検出路内圧に応じ前記排気ファンの出力を調整することで前記排気路の路内圧を設定路内圧に調整する排気側の路内圧調整制御を実行するとともに、それに併行して、前記室圧センサによる検出室圧が設定室圧よりも上昇すると前記排気路の設定路内圧を低下側に変更し、かつ、前記室圧センサによる検出室圧が設定室圧よりも低下すると前記排気路の設定路内圧を上昇側に変更する排気側の路内圧変更制御を実行する構成にする。
【００２５】
また、前記制御手段は、給気ファン主体調整運転の実行時に排気側の路内圧調整制御は停止した状態で排気側の路内圧変更制御を継続する構成にする。
【００２６】
本発明の第７特徴構成は実圧制御システムに係り、その特徴は、
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記給気ファンの出力を給気ファン用の設定固定出力に固定した状態で、又は、前記対象室への総給気量を設定総給気量に維持するように前記給気ファンの出力を調整しながら、前記室圧センサによる検出室圧に基づき前記排気ファンの出力を調整することにより前記対象室の室圧を設定室圧に調整する基本モードの排気ファン主体調整運転を実行するとともに、
この基本モードの排気ファン主体調整運転の実行下において前記排気ファンの出力が排気ファン用の設定上限出力以上に上昇すると、前記排気ファンの出力を排気ファン用の設定上限出力に固定した状態で前記室圧センサによる検出室圧に基づき前記給気ファンの出力を調整することにより前記対象室の室圧を設定室圧に調整する排気側上限モードの給気ファン主体調整運転に運転を自動的に切り換える構成にしてある点にある。
【００２７】
つまり、この構成によれば、基本モードの排気ファン主体調整運転の実行下で排気ファンの出力が排気ファン用の設定上限出力以上に上昇すると排気側上限モードの給気ファン主体調整運転に運転を切り換え、その切り換え後における排気側上限モードの給気ファン主体調整運転では、排気ファンの出力を排気ファン用の設定上限出力に固定した状態で、室圧が過大になるのを防止するための室圧の低下側への調整を給気ファンの出力低下により行なう形態になることから、先述の如く室圧が過大になるのを防ぐための室圧の低下側への調整を常に排気ファンの出力上昇のみにより行なうのに比べ、排気ファン出力の固定による上昇制限分と給気ファンの出力低下分とを合わせた分、システム全体としてのファン消費動力を低減することができて、また、給気量の低下分、取入室外空気に対する空調処理の処理負荷を低減できるなどのこともあって、省エネルギ化を一層効果的に達成することができる。
【００２８】
また、給気ファンの出力を設定固定出力に固定した状態で、又は、対象室からの総給気量を設定総給気量に維持するように給気ファンの出力を調整しながら、排気ファンの出力調整より対象室の室圧を設定室圧に調整する基本モードの排気ファン主体調整運転を基本の運転とするから、これとは逆に排気ファンの出力を固定した状態で給気ファンの出力調整により対象室の室圧を設定室圧に調整する給気ファン主体調整運転を基本の運転とする方式に比べ、汚染物質の室外漏洩を防止するなどのために対象室を室外よりも陰圧に保つ場合に一層好適な室圧制御システムとすることができる。
【００２９】
本発明の第８特徴構成は、第７特徴構成の実施に好適な実施形態を特定するものであり、その特徴は、
前記制御手段は、排気側上限モードの給気ファン主体調整運転の実行下において、前記給気ファンの出力が給気ファン用の設定固定出力よりも低い給気ファン用の下限側設定閾出力以下に低下すると、前記給気ファンの出力を給気ファン用の下限側設定閾出力に固定した状態で前記室圧センサによる検出室圧に基づき前記排気ファンの出力を調整することにより前記対象室の室圧を設定室圧に調整する上限側モードの排気ファン主体調整運転に運転を自動的に切り換える構成にしてある点にある。
【００３０】
つまり、この構成によれば、排気側上限モードの給気ファン主体調整運転の実行下において給気ファンの出力が給気ファン用の設定固定出力よりも低い給気ファン用の下限側設定閾出力以下に低下すると、給気ファンの出力を給気ファン用の下限側設定閾出力に固定した状態で室圧センサによる検出室圧に基づき排気ファンの出力を調整して対象室の室圧を設定室圧に調整する上限側モードの排気ファン主体調整運転に運転を切り換えるから、即ち、基本的には基本モードの排気ファン主体調整運転と同じく給気ファンの出力を固定した状態で排気ファンの出力調整により対象室の室圧を設定室圧に調整する運転に戻るから、先述の如く排気ファンの出力調整だけで室圧変動に対応するのに比べ、室圧変動に対する対応幅を一層広く確保することができる。
【００３１】
本発明の第９特徴構成は室圧制御システムに係り、その特徴は、
室圧調整の対象室に室外空気を供給する給気ファンと、前記対象室の室内空気を室外に排出する排気ファンと、前記対象室の室圧を検出する室圧センサとを設け、
この室圧センサによる検出室圧に基づき前記給気ファン又は前記排気ファンの出力を調整して前記対象室の室圧を設定室圧に調整する制御手段を設けてある室圧制御システムであって、
前記制御手段は、前記給気ファンの出力を給気ファン用の設定固定出力に固定した状態で、又は、前記対象室への総給気量を設定総給気量に維持するように前記給気ファンの出力を調整しながら、前記室圧センサによる検出室圧に基づき前記排気ファンの出力を調整することにより前記対象室の室圧を設定室圧に調整する基本モードの排気ファン主体調整運転を実行するとともに、
この基本モードの排気ファン主体調整運転の実行下において前記排気ファンの出力が排気ファン用の設定下限出力以下に低下すると、前記排気ファンの出力を排気ファン用の設定下限出力に固定した状態で前記室圧センサによる検出室圧に基づき前記給気ファンの出力を調整することにより前記対象室の室圧を設定室圧に調整する排気側下限モードの給気ファン主体調整運転に運転を自動的に切り換える構成にしてある点にある。
【００３２】
つまり、この構成によれば、基本モードの排気ファン主体調整運転の実行下で排気ファンの出力が排気ファン用の設定下限出力以下に低下すると排気側下限モードの給気ファン主体調整運転に運転を切り換え、その切り換え後における排気側下限モードの給気ファン主体調整運転では、排気ファンの出力を排気ファン用の設定下限出力に固定した状態で、室圧が過小になるのを防ぐための室圧の上昇側への調整を給気ファンの出力上昇により行なう形態になることから、先述の従来システムの如く室圧が過小になるのを防ぐための室圧の上昇側への調整を常に排気ファンの出力低下のみにより行なうのに比べ、排気ファン出力の固定による低下制限と給気ファンの出力上昇とにより対象室の換気性低下を抑止することができて、対象室の換気性を一層良好に保つことができる。
【００３３】
また、第７特徴構成と同様、給気ファンの出力を設定固定出力に固定した状態で、又は、対象室からの総給気量を設定総給気量に維持するように給気ファンの出力を調整しながら、排気ファンの出力調整より対象室の室圧を設定室圧に調整する基本モードの排気ファン主体調整運転を基本の運転とするから、これとは逆に排気ファンの出力を固定した状態で給気ファンの出力調整により対象室の室圧を設定室圧に調整する給気ファン主体調整運転を基本の運転とする方式に比べ、汚染物質の室外漏洩を防止するなどのために対象室を室外よりも陰圧に保つ場合に一層好適な室圧制御システムとすることができる。
【００３４】
本発明の第１０特徴構成は、第９特徴構成の実施に好適な実施形態を特定するものであり、その特徴は、
前記制御手段は、排気側下限モードの給気ファン主体調整運転の実行下において、前記給気ファンの出力が給気ファン用の設定固定出力よりも高い給気ファン用の上限側設定閾出力以上に上昇すると、前記給気ファンの出力を給気ファン用の上限側設定閾出力に固定した状態で前記室圧センサによる検出室圧に基づき前記排気ファンの出力を調整することにより前記対象室の室圧を設定室圧に調整する下限側モードの排気ファン主体調整運転に運転を自動的に切り換える構成にしてある点にある。
【００３５】
つまり、この構成によれば、排気側下限モードの給気ファン主体調整運転の実行下において給気ファンの出力が給気ファン用の設定固定出力よりも高い給気ファン用の上限側設定閾出力以上に上昇すると、給気ファンの出力を給気ファン用の上限側設定閾出力に固定した状態で室圧センサによる検出室圧に基づき排気ファンの出力を調整して対象室の室圧を設定室圧に調整する下限側モードの排気ファン主体調整運転に運転を切り換えるから、即ち、基本的には基本モードの排気ファン主体調整運転と同じく給気ファンの出力を固定した状態で排気ファンの出力調整により対象室の室圧を設定室圧に調整する運転に戻るから、先述の如く排気ファンの出力調整だけで室圧変動に対応するのに比べ、室圧変動に対する対応幅を一層広く確保することができる。
【００３６】
なお、本発明の実施においては、第７特徴構成と第９特徴構成とを組み合わせ実施するのが好ましく、また、その場合は第８特徴構成と第１０特徴構成も組み合わせ実施するのが一層好ましい。
【００３７】
本発明の第１１特徴構成は、第７〜第１０特徴構成のいずれかの実施に好適な実施形態を特定するものであり、その特徴は、
前記制御手段は、排気ファン主体調整運転において前記室圧センサによる検出室圧に基づき前記排気ファンの出力を調整することにより前記対象室の室圧を設定室圧に調整するのに、前記排気ファンを前記対象室に接続する排気路の路内圧力を路内圧センサにより検出して、この検出路内圧に応じ前記排気ファンの出力を調整することで前記排気路の路内圧を設定路内圧に調整する排気側の路内圧調整制御を実行するとともに、それに併行して、前記室圧センサによる検出室圧が設定室圧よりも上昇すると前記排気路の設定路内圧を低下側に変更し、かつ、前記室圧センサによる検出室圧が設定室圧よりも低下すると前記排気路の設定路内圧を上昇側に変更する排気側の路内圧変更制御を実行する構成にしてある点にある。
【００３８】
つまり、この構成によれば、排気ファン主体調整運転の際、室圧センサによる検出室圧の変化に対し、上記排気側の路内圧調整制御及び路内圧変更制御を介する間接的な排気ファンの出力調整により対象室の室圧を設定室圧に調整するから、これら排気側の路内圧調整制御及び路内圧変更制御を介さず室圧センサによる検出室圧に応じ直接的に排気ファンの出力を調整することで対象室の室圧を設定室圧に調整する方式に比べ、排気ファンの出力変化そのものに起因する室圧変動を抑止し得るなど、排気ファン主体調整運転時における室圧制御の安定性を効果的に高めることができる。
【００３９】
また、排気側の路内圧変更制御の実行形態として、室圧センサによる検出室圧が設定室圧の許容範囲を上昇側又は低下側に逸脱した状態が設定許容時間を越えて継続したとき、排気路の設定路内圧を所定の変化速度で漸次的に所定幅だけ低下側又は上昇側に変更するなどの実行形態を採れば、排気ファン主体調整運転時における室圧制御の安定性を一層効果的に高めることができる。
【００４０】
本発明の第１２特徴構成は、第１１特徴構成の実施に好適な実施形態を特定するものであり、その特徴は、
前記制御手段は、給気ファン主体調整運転の実行時に排気側の路内圧調整制御は停止した状態で排気側の路内圧変更制御を継続する構成にしてある点にある。
【００４１】
つまり、この構成によれば、排気側の路内圧調整制御を停止する給気ファン主体調整運転の際も、排気路の設定路内圧を室圧センサによる検出室圧に応じて変更する排気側の路内圧変更制御は継続するから、次に給気ファン主体調整運転から排気ファン主体調整運転に運転を切り換えて排気側の路内圧調整制御を再開するとき、その再開時の室圧に対し適切に対応した設定路内圧の状態で排気側の路内圧調整制御を再開することができ、これにより排気ファン主体運転時における室圧制御の安定性を一層効果的に高めることができる。
【００４２】
なお、第１１及び第１２特徴構成では、排気ファン主体調整運転において排気側の路内圧調整制御及び路内圧変更制御により排気ファンの出力を調整することで対象室の室圧を設定室圧に調整するが、これと同様に、第７〜第１０特徴構成のいずれかの実施にあたり、給気ファン主体調整運転において給気側の路内圧調整制御及び路内圧変更制御により給気ファンの出力を調整することで対象室の室圧を設定室圧に調整するようにしてもよい。
【００４３】
即ち、この場合、前記制御手段は、給気ファン主体調整運転において前記室圧センサによる検出室圧に基づき前記給気ファンの出力を調整することにより前記対象室の室圧を設定室圧に調整するのに、前記給気ファンを前記対象室に接続する給気路の路内圧力を路内圧センサにより検出して、この検出路内圧に応じ前記給気ファンの出力を調整することで前記給気路の路内圧を設定路内圧に調整する給気側の路内圧調整制御を実行するとともに、それに併行して、前記室圧センサによる検出室圧が設定室圧よりも上昇すると前記給気路の設定路内圧を低下側に変更し、かつ、前記室圧センサによる検出室圧が設定室圧よりも低下すると前記給気路の設定路内圧を上昇側に変更する給気側の路内圧変更制御を実行する構成にする。
【００４４】
また、前記制御手段は、排気ファン主体調整運転の実行時に給気側の路内圧調整制御は停止した状態で給気側の路内圧変更制御を継続する構成にする。
【００４５】
以上説明した本発明の実施にあたり、第１及び第３特徴構成を組み合わせ実施する給気側基本の運転形態（好ましくは第１〜第４特徴構成を組み合わせ実施する運転形態）と、第７及び第９特徴構成を組み合わせ実施する排気側基本の運転形態（好ましくは第７〜第１０特徴構成を組み合わせ実施する運転形態）とを、制御手段に対する切換指令の付与などにより適宜切り換えて実施できるようにすれば、一層機能性や汎用性に優れた室圧制御システムにすることができる。
【００４６】
因みに、ファン消費動力の低減を図るとともに対象室の換気性向上を図るには、室圧センサによる検出室圧に基づき給気ファンの出力と排気ファンの出力とを背反的にかつ併行して同時に調整することで対象室の室圧を設定室圧に調整する別方式の室圧制御システムも考えられるが、この別方式の室圧制御システムの場合、同時に実行する給気ファンの出力調整と排気ファンの出力調整とが相互干渉して、その相互干渉のために室圧制御が不安定になり易いものとなる。
【００４７】
これに対し、本発明の上記第１〜第１２特徴構成によれば、このような相互干渉に起因する室圧制御の不安定化を防止して室圧制御の安定性を一層高く確保することができる。
【発明を実施するための最良の形態】
【００４８】
〔第１実施形態〕
図１は本発明の室圧制御システムを適用した空調設備の構成図であり、１は室圧調整の対象室、２は室外空気である外気ＯＡを温湿度調整する外調機、３は外調機２で調整した調整外気ＯＡを給気路４を通じて対象室１に供給する外気導入ファンとしての給気ファン、５は排気路６を通じ対象室１の室内空気を排気ＥＡとして室外に排出する排気ファンである。
【００４９】
また、この設備では、給気路４に空調機７及び循環ファン８を介装するとともに、排気路６から分岐した還気路９を循環ファン８よりも上流側で空調機７の入口に接続してある。
【００５０】
つまり、外調機２から給気ファン３により送給される調整外気ＯＡと、循環ファン８による空気循環において還気路９を通じ導かれる還気ＲＡとしての室内空気とを空調機７に供給して、それら調整外気ＯＡと還気ＲＡとの混合空気を空調機７でさらに温湿度調整し、その温湿度調整した混合空気ＯＡ・ＲＡを対象室１に供給する。
【００５１】
なお、１０は対象室１の室内空気を個別排気ＥＡ′として室内の特定箇所から個別排気路１１を通じ排気ファン５による排気ＥＡとは別に室外に排出する個別排気ファンであり、この個別排気ファン１０による個別排気は必要に応じて随時に実施される。
【００５２】
この空調設備では、外調機２から対象室１に供給する調整外気ＯＡと、排気ファン５及び個別排気ファン１０により対象室１から排出する排気ＥＡ及び個別排気ＥＡ′との風量バランスにより対象室１の室圧ｐが決まるが、この対象室１の室圧ｐを設定室圧ｐｓに調整する室圧制御については、対象室１の室圧ｐ（本例では対象室１の室内外差圧）を検出する室圧センサ１２を設けるとともに、給気ファン３及び排気ファン５の夫々をインバータ制御による出力可変のファンにしてある。
【００５３】
そして、制御手段として室圧センサ１２による検出室圧ｐに基づき給気ファン３又は排気ファン５の出力を調整して対象室１の室圧ｐを設定室圧ｐｓに調整する室圧制御器１３を装備してあり、具体的には、この室圧制御器１３は次の（イ）〜（ホ）の制御動作を行う構成にしてある（図２参照）。
【００５４】
（イ）室圧制御の起動指令が付与されると基本運転として基本モードの給気ファン主体調整運転（図２の（ｃ））を開始する。
この基本モードの給気ファン主体調整運転では、排気ファン５の出力ｆｅを設定固定出力ｆｅｓに固定した状態で、室圧センサ１２による検出室圧ｐに基づき給気ファン３の出力ｆｏを調整することにより対象室１の室圧ｐを設定室圧ｐｓに調整する。
【００５５】
なお、この基本モードの給気ファン主体調整運転では、排気ファン５の出力ｆｅを設定固定出力ｆｅｓに固定するのに代えて、排気ファン５による排気量と個別排気ファン１０による個別排気量との和である対象室１からの総排気量Ｑｅを設定総排気量Ｑｅｓに維持するように排気ファン５の出力ｆｅを調整しながら、室圧センサ１２による検出室圧ｐに基づき給気ファン３の出力ｆｏを調整することにより対象室１の室圧ｐを設定室圧ｐｓに調整する運転形態を採用してもよい。
【００５６】
（ロ）基本モードの給気ファン主体調整運転（図２の（ｃ））を実施している状況下で給気ファン３の出力ｆｏが給気ファン用の設定上限出力ｆｏａ以上に上昇すると、給気側上限モードの排気ファン主体調整運転（図２の（ｂ））に運転を切り換える。
この給気側上限モードの排気ファン主体調整運転では、給気ファン３の出力ｆｏを給気ファン用の設定上限出力ｆｏａに固定した状態で、室圧センサ１２による検出室圧ｐに基づき排気ファン５の出力ｆｅを調整することにより対象室１の室圧ｐを設定室圧ｐｓに調整する。
【００５７】
（ハ）一方、基本モードの給気ファン主体調整運転（図２の（ｃ））を実施している状況下で給気ファン３の出力ｆｏが給気ファン用の設定下限出力ｆｏｂ以下に低下すると、給気側下限モードの排気ファン主体調整運転（図２の（ｄ））に運転を切り換える。
この給気側下限モードの排気ファン主体調整運転では、給気ファン３の出力ｆｏを給気ファン用の設定下限出力ｆｏｂに固定した状態で室圧センサ１２による検出室圧ｐに基づき排気ファン５の出力ｆｅを調整することにより対象室１の室圧ｐを設定室圧ｐｓに調整する。
【００５８】
（ニ）給気側上限モードの排気ファン主体調整運転（図２の（ｂ））を実施している状況下で排気ファン５の出力ｆｅが排気ファン用の設定固定出力ｆｅｓよりも低い排気ファン用の下限側設定閾出力ｆｅｂ以下に低下すると、上限側モードの給気ファン主体調整運転（図２の（ａ））に運転を切り換える。
この上限側モードの給気ファン主体調整運転では、排気ファン５の出力ｆｅを排気ファン用の下限側設定閾出力ｆｅｂに固定した状態で、室圧センサ１２による検出室圧ｐに基づき給気ファン３の出力ｆｏを調整することにより対象室１の室圧ｐを設定室圧ｐｓに調整する。
【００５９】
なお、給気側上限モードの排気ファン主体調整運転（図２の（ｂ））を実施している状況下で排気ファン５の出力ｆｅが排気ファン用の設定固定出力ｆｅｓ（又は、それよりも高い排気ファン用の上限側設定閾出力ｆｅａ）以上に上昇すると、基本モードの給気ファン主体調整運転（図２の（ｃ））に復帰する。
【００６０】
また、上限側モードの給気ファン主体調整運転（図２の（ａ））を実施している状況下で給気ファン３の出力ｆｏが給気ファン用の設定上限出力ｆｏａ以下に低下すると、給気側上限モードの排気ファン主体調整運転（図２の（ｂ））に復帰する。
【００６１】
（ホ）給気側下限モードの排気ファン主体調整運転（図２の（ｄ））を実施している状況下で排気ファン５の出力ｆｅが排気ファン用の設定固定出力ｆｅｓよりも高い排気ファン用の上限側設定閾出力ｆｅａ以上に上昇すると、下限側モードの給気ファン主体調整運転（図２の（ｅ））に運転を切り換える。
この下限側モードの給気ファン主体調整運転では、排気ファン５の出力ｆｅを排気ファン用の上限側設定閾出力ｆｅａに固定した状態で、室圧センサ１２による検出室圧ｐに基づき給気ファン３の出力ｆｏを調整することにより対象室１の室圧ｐを設定室圧ｐｓに調整する。
【００６２】
なお、給気側下限モードの排気ファン主体調整運転（図２の（ｄ））を実施している状況下で排気ファン５の出力ｆｅが排気ファン用の設定固定出力ｆｅｓ（又は、それよりも低い排気ファン用の下限側設定閾出力ｆｅｂ）以下に低下すると、基本モードの給気ファン主体調整運転（図２の（ｃ））に復帰する。
【００６３】
また、下限側モードの給気ファン主体調整運転（図２の（ｅ））を実施している状況下で給気ファン３の出力ｆｏが給気ファン用の設定下限出力ｆｏｂ以上に上昇すると、給気側下限モードの排気ファン主体調整運転（図２の（ｄ））に復帰する。
【００６４】
以上の例では、循環ファン８により室内空気の一部を循環させる形式の空調設備に本発明の室圧制御システムを適用した場合を示したが、適用対象の設備は、図３に示す如く外調機２による調整外気ＯＡのみを給気ファン３により給気路４を通じ対象室１に供給する全外気方式の空調設備などであってもよい。
【００６５】
〔第２実施形態〕
上述の第１実施形態では、各々の給気ファン主体調整運転において対象室１の室圧ｐを設定室圧ｐｓに調整するのに、給気ファン３の出力ｆｏを室圧センサ１２による検出室圧ｐに応じて直接的に調整する例を示したが、この第２実施形態では、前述した各々の給気ファン主体調整運転において給気ファン３の出力ｆｏを室圧センサ１２による検出室圧ｐｓに基づき調整するのに、給気ファン３の出力ｆｏを給気側の路内圧調整制御及び路内圧変更制御を介して間接的に調整するようにしてあり、この給気側の路内圧調整制御及び路内圧変更制御について、室圧制御器１３は次の（ヘ）〜（チ）の制御動作を行なう構成にしてある（図３参照）。
【００６６】
（ヘ）前述した基本モード、上限側モード、下限側モード夫々の給気ファン主体調整運転（図２の（ｃ），（ａ），（ｅ））では、給気側の路内圧調整制御として、給気路４に設けた路内圧センサ１４により給気路４の路内圧ｐｏ（静圧）を検出するとともに、この検出路内圧ｐｏに応じ給気ファン３の出力ｆｏを調整することで給気路４の路内圧ｐｏを設定路内圧ｐｏｓに調整する。
【００６７】
（ト）また、これら給気ファン主体調整運転では、上記給気側の路内圧調整制御に伴い給気側の路内圧変更制御として、室圧センサ１２による検出室圧ｐが設定室圧ｐｓよりも上昇すると給気路４の設定路内圧ｐｏｓを低下側に変更し、かつ、室圧センサ１２による検出室圧ｐが設定室圧ｐｓよりも低下すると給気路４の設定路内圧ｐｏｓを上昇側に変更する。
【００６８】
具体的には、室圧センサ１２による検出室圧ｐが設定室圧ｐｓの許容範囲を上昇側又は低下側に逸脱した状態が設定許容時間ｔｓを越えて継続したとき、給気路４の設定路内圧ｐｏｓを所定の変化速度で漸次的に所定幅だけ低下側又は上昇側に変更する。
【００６９】
（チ）さらに、前述した給気側上限モード、給気側下限モード夫々の排気ファン主体調整運転（図２の（ｂ），（ｄ））では給気側の路内圧調整制御を停止するが、給気側の路内圧変更制御は引き続き継続し、これにより、次に排気ファン主体調整運転から給気ファン主体調整運転に運転を切り換えて給気側の路内圧調整制御を再開する際の室圧制御の安定性を高める。
【００７０】
なお、図２に示す如く基本モードの給気ファン主体調整運転を基本運転として、各時点における給気ファン３や排気ファン５の出力ｆｏ，ｆｅに応じ運転を切り換える点、並びに、給気側上限モード、給気側下限モード夫々の排気ファン主体調整運転において排気ファン５の出力ｆｅを室圧センサ１２による検出室圧ｐに応じて直接的に調整する点は第１実施形態と同じである。
【００７１】
上記例では、給気ファン主体調整運転において給気側の路内圧調整制御及び路内圧変更制御を採用する場合を示したが、これと同様に、各々の排気ファン主体調整運転において室圧センサ１２による検出室圧ｐに基づき排気ファン５の出力ｆｅを調整するのに排気側の路内圧調整制御及び路内圧変更制御を採用してもよい。
【００７２】
即ち、給気側上限モード、給気側下限モード夫々の排気ファン主体調整運転（図２の（ｂ），（ｄ））で、排気側の路内圧調整制御として（図４参照）、排気路６に設けた路内圧センサ１５により排気路６の路内圧ｐｅ（静圧）を検出するとともに、この検出路内圧ｐｅに応じ排気ファン５の出力ｆｅを調整することで排気路６の路内圧ｐｅを設定路内圧ｐｅｓに調整する。
【００７３】
また、この排気側の路内圧調整制御に伴い、排気側の路内圧変更制御として、室圧センサ１２による検出室圧ｐが設定室圧ｐｓよりも上昇すると排気路６の設定路内圧ｐｅｓを低下側に変更し、かつ、室圧センサ１２による検出室圧ｐが設定室圧ｐｓよりも低下すると排気路６の設定路内圧ｐｅｓを上昇側に変更する。
【００７４】
この場合、各々の給気ファン主体調整運転では排気側の路内圧調整制御を停止するが、排気側の路内圧変更制御は引き続き継続させるようにしてもよい。
【００７５】
給気側や排気側の路内圧調整制御及び路内圧変更制御を採用した上記の如き室圧制御システムは図３に示す全外気方式の空調設備に限らず、図１に示す如き一部循環方式の空調設備などにも適用することができる。
【００７６】
〔第３実施形態〕
上述の第１，第２実施形態では、基本モードの給気ファン主体調整運転を基本運転とする例を示したが、この第３実施形態では、排気ファン主体調整運転を基本運転とする例を示す。
【００７７】
つまり、制御手段としての前述の室圧制御器１３は次の（イ′）〜（ホ′）の制御動作を実行する構成にしてある（図５参照）。
【００７８】
（イ′）室圧制御の起動指令が付与されると基本運転として基本モードの排気ファン主体調整運転（図５の（ｃ））を開始する。
この基本モードの排気ファン主体調整運転では、給気ファン３の出力ｆｏを設定固定出力ｆｏｓに固定した状態で、室圧センサ１２による検出室圧ｐに基づき排気ファン５の出力ｆｅを調整することにより対象室１の室圧ｐを設定室圧ｐｓに調整する。
【００７９】
なお、図３において破線で示す如く、必要時に個別給気ＯＡ′として対象室１の特定箇所に外部空気を個別給気路１６を通じて供給する個別給気ファン１７などがある場合、この基本モードの排気ファン主体調整運転では、給気ファン３の出力ｆｏを設定固定出力ｆｏｓに固定するのに代えて、給気ファン３による給気量と個別給気ファン１７による個別給気量との和である対象室への総給気量Ｑｏを設定総排気量Ｑｏｓに維持するように給気ファン３の出力ｆｏを調整しながら、室圧センサ１２による検出室圧ｐに基づき排気ファン５の出力ｆｅを調整することにより対象室１の室圧ｐを設定室圧ｐｓに調整する運転形態を採用してもよい。
【００８０】
（ロ′）基本モードの排気ファン主体調整運転（図５の（ｃ））を実施している状況下で排気ファン５の出力ｆｅが排気ファン用の設定上限出力ｆｅａ以上に上昇すると、排気側上限モードの給気ファン主体調整運転（図５の（ｂ））に運転を切り換える。
この排気側上限モードの給気ファン主体調整運転では、排気ファン５の出力ｆｅを排気ファン用の設定上限出力ｆｅａに固定した状態で、室圧センサ１２による検出室圧ｐに基づき給気ファン３の出力ｆｏを調整することにより対象室１の室圧ｐを設定室圧ｐｓに調整する。
【００８１】
（ハ′）一方、基本モードの排気ファン主体調整運転（図５の（ｃ））を実施している状況下で排気ファン５の出力ｆｅが排気ファン用の設定下限出力ｆｅｂ以下に低下すると、排気側下限モードの給気ファン主体調整運転（図５の（ｄ））に運転を切り換える。
この排気側下限モードの給気ファン主体調整運転では、排気ファン５の出力ｆｅを排気ファン用の設定下限出力ｆｅｂに固定した状態で室圧センサ１２による検出室圧ｐに基づき給気ファン３の出力ｆｏを調整することにより対象室１の室圧ｐを設定室圧ｐｓに調整する。
【００８２】
（ニ′）排気側上限モードの給気ファン主体調整運転（図５の（ｂ））を実施している状況下で給気ファン３の出力ｆｏが給気ファン用の設定固定出力ｆｏｓよりも低い給気ファン用の下限側設定閾出力ｆｏｂ以下に低下すると、上限側モードの排気ファン主体調整運転（図５の（ａ））に運転を切り換える。
この上限側モードの排気ファン主体調整運転では、給気ファン３の出力ｆｏを給気ファン用の下限側設定閾出力ｆｏｂに固定した状態で、室圧センサ１２による検出室圧ｐに基づき排気ファン５の出力ｆｅを調整することにより対象室１の室圧ｐを設定室圧ｐｓに調整する。
【００８３】
なお、排気側上限モードの給気ファン主体調整運転（図５の（ｂ））を実施している状況下で給気ファン３の出力ｆｏが給気ファン用の設定固定出力ｆｏｓ（又は、それよりも高い給気ファン用の上限側設定閾出力ｆｏａ）以上に上昇すると、基本モードの排気ファン主体調整運転（図５の（ｃ））に復帰する。
【００８４】
また、上限側モードの排気ファン主体調整運転（図５の（ａ））を実施している状況下で排気ファン５の出力ｆｅが排気ファン用の設定上限出力ｆｅａ以下に低下すると、排気側上限モードの給気ファン主体調整運転（図５の（ｂ））に復帰する。
【００８５】
（ホ）排気側下限モードの給気ファン主体調整運転（図５の（ｄ））を実施している状況下で給気ファン３の出力ｆｏが給気ファン用の設定固定出力ｆｏｓよりも高い給気ファン用の上限側設定閾出力ｆｏａ以上に上昇すると、下限側モードの排気ファン主体調整運転（図５の（ｅ））に運転を切り換える。
この下限側モードの排気ファン主体調整運転では、給気ファン３の出力ｆｏを給気ファン用の上限側設定閾出力ｆｏａに固定した状態で、室圧センサ１２による検出室圧ｐに基づき排気ファン５の出力ｆｅを調整することにより対象室１の室圧ｐを設定室圧ｐｓに調整する。
【００８６】
なお、排気側下限モードの給気ファン主体調整運転（図５の（ｄ））を実施している状況下で給気ファン３の出力ｆｏが給気ファン用の設定固定出力ｆｏｓ（又は、それよりも低い給気ファン用の下限側設定閾出力ｆｏｂ）以下に低下すると、基本モードの排気ファン主体調整運転（図５の（ｃ））に復帰する。
【００８７】
また、下限側モードの排気ファン主体調整運転（図５の（ｅ））を実施している状況下で排気ファン５の出力ｆｅが排気ファン用の設定下限出力ｆｅｂ以上に上昇すると、排気側下限モードの給気ファン主体調整運転（図５の（ｄ））に復帰する。
【００８８】
この第３実施形態では、各々の排気ファン主体調整運転において排気ファン５の出力ｆｅを室圧センサ１２による検出室圧ｐｓに基づき調整するのに、排気ファン５の出力ｆｅを排気側の路内圧調整制御及び路内圧変更制御を介して間接的に調整するようにしてあり、この排気側の路内圧調整制御及び路内圧変更制御について、室圧制御器１３は次の（ヘ′）〜（チ′）の制御動作を行なう構成にしてある（図４参照）。
【００８９】
（ヘ′）前述した基本モード、上限側モード、下限側モード夫々の排気ファン主体調整運転（図５の（ｃ），（ａ），（ｅ））では、排気側の路内圧調整制御として、排気路６に設けた路内圧センサ１５により排気路６の路内圧ｐｅ（静圧）を検出するとともに、この検出路内圧ｐｅに応じ排気ファン５の出力ｆｅを調整することで排気路６の路内圧ｐｅを設定路内圧ｐｅｓに調整する。
【００９０】
（ト′）また、これら排気ファン主体調整運転では、上記排気側の路内圧調整制御に伴い排気側の路内圧変更制御として、室圧センサ１２による検出室圧ｐが設定室圧ｐｓよりも上昇すると排気路６の設定路内圧ｐｅｓを低下側に変更し、かつ、室圧センサ１２による検出室圧ｐが設定室圧ｐｓよりも低下すると排気路６の設定路内圧ｐｅｓを上昇側に変更する。
【００９１】
具体的には、室圧センサ１２による検出室圧ｐが設定室圧ｐｓの許容範囲を上昇側又は低下側に逸脱した状態が設定許容時間ｔｓを越えて継続したとき、排気路６の設定路内圧ｐｅｓを所定の変化速度で漸次的に所定幅だけ低下側又は上昇側に変更する。
【００９２】
（チ′）さらに、排気側上限モード、排気側下限モード夫々の給気ファン主体調整運転（図５の（ｂ），（ｄ））では排気側の路内圧調整制御を停止するが、排気側の路内圧変更制御は引き続き継続し、これにより、次に給気ファン主体調整運転から排気ファン主体調整運転に運転を切り換えて排気側の路内圧調整制御を再開する際の室圧制御の安定性を高める。
【００９３】
この例では、基本モードの排気ファン主体調整運転を基本運転とする運転形態（図５参照）において、各々の排気ファン主体調整運転で排気側の路内圧調整制御及び路内圧変更制御を採用する場合を示したが、これと同様に、基本モードの排気ファン主体調整運転を基本運転とする運転形態において、各々の給気ファン主体調整運転で室圧センサ１２による検出室圧ｐに基づき給気ファン３の出力ｆｏを調整するのに前述の如き給気側の路内圧調整制御及び路内圧変更制御を採用してもよい。
【００９４】
また、基本モードの排気ファン主体調整運転を基本運転とする運転形態において、各々の排気ファン主体調整運転や各々の給気ファン主体調整運転で排気ファン５の出力ｆｅや給気ファン３の出力ｆｏを室圧センサ１２による検出室圧ｐに基づき調整するのに、第１実施形態と同様、排気ファン５の出力ｆｅや給気ファン３の出力ｆｏを室圧センサ１２による検出室圧ｐに応じ直接的に調整する方式を採用してもよい。
【００９５】
なお、基本モードの排気ファン主体調整運転を基本運転する運転形態（図５参照）は図１に示す如き一部循環方式の空調設備や図３に示す如き全外気方式の空調設備など種々の方式の設備に適用することができる。
【００９６】
以上、第１及び第２実施形態では基本モードの給気ファン主体調整運転を基本運転とする給気側基本の運転形態（図２）を示し、第３実施形態では基本モードの排気ファン主体調整運転を基本運転とする排気側基本の運転形態（図５）を示したが、これら給気側基本の運転形態（図２）と排気側基本の運転形態（図５）とを室圧制御器１３に対する切換指令の付与などにより対象室１の用途や対象室１の使用条件などに応じ適宜切り換えて実施できるようにしてもよい。
【００９７】
本発明の実施において対象室１に供給する室外空気ＯＡは外気に限られるものではなく、対象室１とは別の部屋の室内空気などであってもよい。
【００９８】
基本モードの給気ファン主体調整運転を基本運転とする給気側基本の運転形態（図２）において設定する給気ファン用の設定上限出力ｆｏａ、給気ファン用の設定下限出力ｆｏｂ、排気ファン用の上限設定閾出力ｆｅａ、排気ファン用の下限側設定閾出力ｆｅｂの夫々は、基本モードの排気ファン主体調整運転を基本運転とする排気側基本の運転形態（図５）において設定する給気ファン用の上限側設定閾出力ｆｏａ、給気ファン用の下限側設定閾出力ｆｏｂ、排気ファン用の設定上限出力ｆｅａ、排気ファン用の設定下限出力ｆｅｂの夫々と同じ出力値である必要はなく、これらの設定出力としては給気ファン用の設定固定出力ｆｏｓや排気ファン用の設定固定出力ｆｅｓなどとともに種々の出力値を採用することができる。
【００９９】
また、基本モードの給気ファン主体調整運転を基本運転とする給気側基本の運転形態（図２）において設定する給気ファン用の設定上限出力ｆｏａ、給気ファン用の設定下限出力ｆｏｂ、排気ファン用の上限設定閾出力ｆｅａ、排気ファン用の下限側設定閾出力ｆｅｂの夫々を適宜に設定変更できるようにしたり、同様に、基本モードの排気ファン主体調整運転を基本運転とする排気側基本の運転形態（図５）において設定する給気ファン用の上限側設定閾出力ｆｏａ、給気ファン用の下限側設定閾出力ｆｏｂ、排気ファン用の設定上限出力ｆｅａ、排気ファン用の設定下限出力ｆｅｂの夫々を適宜に設定変更できるようにし、これにより、種々の用途の対象室に対するシステムの適応性や機能性を一層高めるようにしてもよい。
【０１００】
殊に、給気ファン用の設定上限出力ｆｏａや給気ファン用の設定下限出力ｆｏｂを適宜に設定変更できるようにすれば、上限側モードの給気ファン主体調整運転（図２の（ａ）や下限側モードの給気ファン主体調整運転（図２の（ｅ））における室圧調整可能範囲を運転条件等に応じて適宜に調整することが可能になり、また、排気ファン用の設定上限出力ｆｅａや排気ファン用の設定下限出力ｆｅｂを適宜に設定変更できるようにすれば、上限側モードの排気ファン主体調整運転（図５の（ａ））や下限側モードの排気ファン主体調整運転（図５の（ｅ））における室圧調整可能範囲を運転条件等に応じて適宜に設定変更することが可能になる。
【図面の簡単な説明】
【０１０１】
【図１】第１実施形態を示す空調設備及び室圧制御システムの構成図
【図２】第１実施形態を示す運転形態の説明図
【図３】第２実施形態を示す空調設備及び室圧制御システムの構成図
【図４】排気側の路内圧調整制御及び路内圧変更制御を実施する場合のシステム構成図
【図５】第３実施形態を示す運転形態の説明図
【符号の説明】
【０１０２】
１      対象室
ＯＡ    室外空気
３      給気ファン
ＥＡ    室内空気（排気）
５      排気ファン
１２    室圧センサ
ｐ      室圧
ｐｓ    設定室圧
ｆｏ    給気ファンの出力
ｆｅ    排気ファンの出力
１３    制御手段
ｆｏａ  給気ファン用の設定上限出力又は上限側設定閾出力
ｆｏｂ  給気ファン用の設定下限出力又は下限側設定閾出力
ｆｏｓ  給気ファン用の設定固定出力
ｆｅａ  排気ファン用の上限側設定閾出力又は設定上限出力
ｆｅｂ  排気ファン用の下限側設定閾出力又は設定下限出力
ｆｅｓ  排気ファン用の設定固定出力
１４    給気路の路内圧センサ
ｐｏ    給気路の路内圧
ｐｏｓ  給気路の設定路内圧
１５    排気路の路内圧センサ
ｐｅ    排気路の路内圧
ｐｅｓ  排気路の設定路内圧
【図１】
2010107064.tif 000003
【図２】
2010107064.tif 000004
【図３】
2010107064.tif 000005
【図４】
2010107064.tif 000006
【図５】
2010107064.tif 000007